(57)【要約】【課題】  センサへの電源供給のみならず、センサ信号伝達回路への電源供給を制御することにより、省エネルギーでかつセンサからの情報を正確に取得する。【解決手段】  タイミング制御手段２０２はセンサ信号伝達回路電源供給制御信号とデータ取り込みパルスを生成し、送出する。電源制御手段２０３はセンサ信号伝達回路電源供給制御信号を受けてセンサ信号伝達回路２０５およびセンサ群１０５（矢印省略）に電源を供給する。データ取り込み手段２０６は、タイミング制御手段２０２からのデータ取り込みパルスによってセンサ信号伝達回路２０５からセンサ出力を取り込み格納し、これを制御装置２０１が定期的あるいは不定期に読み取る。【選択図】  図２
2005074685.tif 000002
【特許請求の範囲】
【請求項１】
機器の状態を検知するセンサを有し、該センサからの電気信号を受けて前記センサの状態を保持するセンサ信号伝達回路と、該センサ信号伝達回路が保持する前記センサの状態を取り込み格納するデータ取り込み手段と、該データ取り込み手段が取り込んだセンサの状態を読み出して各種制御を行う制御手段とを有する電子機器において、
電源供給制御信号を受けて前記センサ信号伝達回路への電源の供給と停止を制御する電源制御手段と、該電源制御手段へ所定周期で前記電源供給制御信号と前記データ取り込み手段へ前記電源供給制御信号出力後の所定期間にデータ取り込み信号とを送出するタイミング制御手段とを備え、
前記データ取り込み手段は前記センサ信号伝達回路が電源供給を受けた後、所定期間後に生成される前記データ取り込み信号を受けてセンサ状態の取り込み動作を行うことを特徴とする電子機器。
【請求項２】
請求項１記載の電子機器において、前記タイミング制御手段は、電源供給制御信号出力開始からデータ取り込み信号を生成するまでの期間を任意に設定可能としたことを特徴とする電子機器。
【請求項３】
請求項１記載の電子機器において、前記タイミング制御手段は、前記データ取り込み信号送出後、所定期間をおいて電源供給制御信号の出力を停止することを特徴とする電子機器。
【請求項４】
センサを具備し所定の周期で該センサが取得したデータを参照する電子機器の電源供給方法であって、前記周期と等しいか、それよりも短い周期で前記センサおよびセンサ信号伝達回路に給電し、前記センサ信号伝達回路よりセンサが取得したデータを読み出して保持した後に前記給電を停止することを特徴とする電源供給方法。
【発明の詳細な説明】
【技術分野】
【０００１】
本発明は、電子機器に関し、特にセンサを具備した電子機器の省エネルギー技術に関する。
【背景技術】
【０００２】
電子機器の消費電力を節減するために、従来から装置が省エネルギー状態にあるときは、主要電源はもとより、省エネルギー解除要因の監視以外に用いている電源を遮断する方式などが取り入れられている。また、動作中のセンサ素子等への電源供給に関しても、特許文献１で示されるように状態検知を行う時にのみ状態検知素子に電源を供給し、消費電力を低減する方法が提案されている。
【特許文献１】特開２００１−７５６８５公報
【発明の開示】
【発明が解決しようとする課題】
【０００３】
しかしながら、上記従来技術では、その実現手段が具体的に開示されておらず、また、センサへの電源が供給されていない時に、センサのデータを参照すると正しくない値が出力されるという問題も生じる。
本発明は、上述した実情を考慮してなされたものであって、センサへの電源供給のみならず、センサ信号伝達回路への電源供給を制御することにより、省エネルギーでかつセンサからの情報を正確に取得することができる電子機器および電源供給方法を提供することを目的とする。
【課題を解決するための手段】
【０００４】
上記の課題を解決するために、請求項１に記載の発明は、機器の状態を検知するセンサを有し、該センサからの電気信号を受けて前記センサの状態を保持するセンサ信号伝達回路と、該センサ信号伝達回路が保持する前記センサの状態を取り込み格納するデータ取り込み手段と、該データ取り込み手段が取り込んだセンサの状態を読み出して各種制御を行う制御手段とを有する電子機器において、電源供給制御信号を受けて前記センサ信号伝達回路への電源の供給と停止を制御する電源制御手段と、該電源制御手段へ所定周期で前記電源供給制御信号と前記データ取り込み手段へ前記電源供給制御信号出力後の所定期間にデータ取り込み信号とを送出するタイミング制御手段とを備え、前記データ取り込み手段は前記センサ信号伝達回路が電源供給を受けた後、所定期間後に生成される前記データ取り込み信号を受けてセンサ状態の取り込み動作を行うことを特徴とする。
また、請求項２に記載の発明は、請求項１記載の電子機器において、前記タイミング制御手段は、電源供給制御信号出力開始からデータ取り込み信号を生成するまでの期間を任意に設定可能としたことを特徴とする。
また、請求項３に記載の発明は、請求項１記載の電子機器において、前記タイミング制御手段は、前記データ取り込み信号送出後、所定期間をおいて電源供給制御信号の出力を停止することを特徴とする。
また、請求項４に記載の発明は、センサを具備し所定の周期でセンサが取得したデータを参照する電子機器の電源供給方法であって、前記周期と等しいか、それよりも短い周期で前記センサおよびセンサ信号伝達回路に給電し、前記センサ信号伝達回路よりセンサが取得したデータを読み出して保持した後に前記給電を停止することを特徴とする。
【発明の効果】
【０００５】
本発明によれば、センサ信号伝達回路への電源供給後、一定期間後のデータを取り込むことで、センサ信号伝達回路の電源がオフのときの誤った状態を示すデータを取り込んでしまうことを防ぐ事が可能となる。
また、センサ信号伝達回路へ電源を供給してからデータを取り込むまでのタイミングを調整することで、電源供給後の不安定な状態でデータを格納することを防ぐ事が可能となる。
さらに、データの取り込まれるタイミングを受けてセンサ信号伝達回路への電源供給を止めることとなるため、確実にデータを格納でき、また無駄にセンサ信号伝達回路で電力が消費されるのを防ぐ事が可能となる。
【発明を実施するための最良の形態】
【０００６】
以下、図面を参照して、本発明の実施形態を詳細に説明する。
図１は、本発明が適用されるデジタル複合機の機能構成を示すブロック図である。デジタル複合機は、主にエンジン制御ユニット１０１、スキャナユニット１０２、画像処理ユニット１０３、書込みユニット１０４、各種センサ群１０５、シーケンス機器群１０６、操作パネル１０７、画像メモリ１０８、電源管理ユニット１０９、プリンタコントローラ１１０、ファクシミリユニット１１１等からなる。
以上の構成において、例えばコピー指示がなされると、スキャナユニット１０２が原稿を読み取り、画像処理ユニット１０３に画像データを転送する。画像処理ユニット１０３では画質調整、変倍等を行い書込みユニット１０４に処理後のデータを送る。書込みユニット１０４は受け取ったデータに従ってレーザ素子を駆動し、感光体上に光書込みを行う。これらの動作は各種センサ群１０５の入力を基にエンジン制御ユニット１０１によって制御され、感光体及び定着ユニット等のシーケンス機器群１０６も同様にエンジン制御ユニット１０１に制御されて記録紙に画像を形成する。また、操作者の指示は操作パネル１０７によってなされ、エンジン制御ユニット１０１に伝えられる。
上記動作の中で、各種センサ群１０５の出力データはセンサ信号伝達回路を経由してデータ取り込み手段に蓄えられ、エンジン制御ユニット１０１は一定期間おきにデータ取り込み手段の取り込んだ値を確認することで各種センサ群１０５の出力結果、すなわち機器の状態を検知する。
図２は、センサ信号伝達回路電源管理部の機能構成を示すブロック図である。制御装置２０１はエンジン制御ユニット１０１の構成要素であり、マイクロプロセッサ、メモリ等を主体として構成される。タイミング制御手段２０２はセンサ信号伝達回路電源供給制御信号とデータ取り込みパルスを生成し、送出する。電源制御手段２０３はセンサ信号伝達回路電源供給制御信号を受けてセンサ信号伝達回路２０５およびセンサ群１０５（矢印省略）に電源を供給する。センサ群１０５およびセンサ信号伝達回路２０５は電源制御手段２０３から電源の供給があるときに正常に動作し、センサ群１０５からのデータを処理可能となる。データ取り込み手段２０６は、タイミング制御手段２０２からのデータ取り込みパルスによってセンサ信号伝達回路２０５からセンサ出力を取り込み格納し、これを制御装置２０１が定期的あるいは不定期に読み取る。
【０００７】
次に、本発明のセンサ信号伝達回路電源管理部の動作例を、図２および図３のタイミングチャートを参照して説明する。タイミング制御手段２０２はセンサ信号伝達回路電源供給周期として設定された一定の周期でセンサ信号伝達回路電源供給制御信号をオン状態とし、電源制御手段２０３に送出する（Ａ）。このときの周期は制御装置２０１が最新のセンサデータを読み込めるように、制御装置２０１がデータ取り込み手段２０６にデータの読み込みを行う時の周期と同じかそれより短くする必要がある。
電源制御手段２０３はタイミング制御手段２０２からのセンサ信号伝達回路電源制御信号を受け、オンであればセンサ信号伝達回路２０５（およびセンサ群１０５）への駆動電源を供給する。電源供給を受けたセンサ信号伝達回路２０５は検知対象の状態によって変化するセンサ群１０５からの出力信号に対して電圧レベル変換や信号レベル確定などの動作を行いデータ取り込み手段２０６へ出力する（Ｂ）。
タイミング制御手段２０２は、センサ信号伝達回路電源供給制御信号をオン状態とした後、センサ信号伝達回路２０５への電源供給開始から同回路からの出力が安定するまでの期間を満たすよう設定された一定期間をおいてデータ取り込みパルスを生成し、データ取り込み手段２０６へ送出する（Ｃ）。データ取り込み手段２０６はこのパルスを受けてセンサからのデータを確定させ、記憶領域に取り込む（Ｄ）。
また、タイミング制御手段２０２ではデータ取り込みパルス生成後、データ取り込み動作が完了するまでの期間を満たすよう設定された一定期間をおいた後センサ信号伝達回路電源供給制御信号をオフ状態とする（Ｅ）。
制御装置２０１は、（Ｄ）で確定したデータ取り込み手段２０６のデータを一定周期で読み取り、センサ群１０５の状態検知を行う（Ｆ）。この制御装置２０１が確定データを読み取るタイミングは、格納データが確定、すなわち変化するタイミングと重ならないよう、データの確定から一定の遅延を持って双方が同期化されているものが好ましいが、全く非同期にデータを読み出すことも可能である。
図３には、センサの出力信号がＨｉの場合とＬｏｗの場合の二通りを示した。
上記動作により、センサ信号伝達回路２０５、例えばレベル変換用ＩＣ、の電力消費をデータ読み取り時と、その前後のタイミングのみとすることができ、システムの消費電力を抑制することが可能となる。
【図面の簡単な説明】
【０００８】
【図１】本発明が適用されるデジタル複合機の機能構成を示すブロック図。
【図２】センサ信号伝達回路電源管理部の機能構成を示すブロック図。
【図３】図２における各部のタイミングチャート。
【符号の説明】
【０００９】
１０５  センサ群
２０１  制御装置
２０２  タイミング制御手段
２０３  電源制御手段
２０５  センサ信号伝達回路
２０６  データ取り込み手段
【図１】
2005074685.tif 000003
【図２】
2005074685.tif 000004
【図３】
2005074685.tif 000005